(57)【要約】【課題】本発明は収納便利なボトルを開示した。【解決手段】ボディーと、前記ボディーの上方に位置しているトップ蓋と、前記ボディーの中に設置された貯水チャンバとを含み、前記貯水チャンバの円周壁の中には雌ねじが設置され、前記トップ蓋の底壁の中には円形チャンバが設置され、前記円形チャンバの中には下方へ伸びている回転筒が回転できるように設置され、前記回転筒の外表面には前記雌ねじとねじ山によって連結された雄ねじが設置され、前記回転筒の中には上下に貫通した空きチャンバが設置され、本発明の装置はボトルの中の液体によってボトルのサイズを調節でき、収納が便利で、またボトルの中には攪拌装置を設置して粉ミルクを溶かす効率を高められ、装置は水出口を自動的に開け又は閉めることができ、密封性がよい。【選択図】図１
2020183279.tif 000002
【特許請求の範囲】
【請求項１】
正面視で、ボディーと、前記ボディーの上方に位置しているトップ蓋と、前記ボディーの中に設置された貯水チャンバとを含み、前記貯水チャンバの円周壁の中には雌ねじが設置され、前記トップ蓋の底壁の中には円形チャンバが設置され、前記円形チャンバの中には下方へ伸びている回転筒が回転できるように設置され、前記回転筒の外表面には前記雌ねじとねじ山によって連結された雄ねじが設置され、前記回転筒の中には上下に貫通した空きチャンバが設置され、前記円形チャンバの中の前記回転筒の外表面には外歯車が固定的に設置され、前記貯水チャンバの底壁の中には切換チャンバが設置され、前記切換チャンバと前記貯水チャンバとの間には撹拌軸が連通するように設置され、前記貯水チャンバの中の前記撹拌軸の外表面には撹拌羽根が固定的に設置され、前記切換チャンバの中の前記撹拌軸の末端には第一ギヤが固定的に設置され、前記切換チャンバの底壁の中にはスライドチャンバが設置され、前記スライドチャンバの中にはスライドブロックがスライドできるように設置され、前記スライドブロックの頂壁の中には第一モーターが固定的に設置され、前記第一モーターの出力軸の上方へ伸びている末端には前記第一ギヤと噛み合っている第二ギヤが固定的に設置され、前記スライドチャンバの左側にはカムチャンバが設置され、前記スライドチャンバと前記カムチャンバとの間にはスライド穴が連通するように設置され、前記スライド穴の中には前記スライドブロックと固定的に連結されたスライドロッドがスライドできるように設置され、前記スライドロッドと前記スライド穴の端壁との間には復帰装置が弾性を持つように設置され、前記切換チャンバの頂壁の中には第一スプラインスリーブが回転できるように設置され、前記切換チャンバの中の前記第一スプラインスリーブの外表面には第三ギヤが固定的に設置され、前記第一スプラインスリーブの頂壁の中には上方に開口した第一スプライン穴が設置され、前記第一スプライン穴の中には第一スプライン軸がスプラインによって連結され、前記第一スプライン軸の頂部が前記円形チャンバに伸びており、且つ前記第一スプライン軸の頂部末端には前記外歯車と噛み合っている第四ギヤが固定的に設置され、前記雌ねじと前記雄ねじとがねじ山によって嵌合され、前記回転筒が回転して下方へ移動する時、前記ボトルの体積が小さくなることを特徴とする収納便利なボトル。
【請求項２】
前記カムチャンバの頂壁の中には第二スプラインスリーブが回転できるように設置され、前記カムチャンバの中の前記第二スプラインスリーブの末端が前記カムチャンバの底壁の中に固定的に設置された第二モーターと動力が伝達できるように連結され、前記カムチャンバの中の前記第二スプラインスリーブの外表面にはカムが固定的に設置され、前記第二スプラインスリーブの頂壁の中には第二スプライン穴が設置され、前記円形チャンバの頂壁の中には伝動チャンバが設置され、前記伝動チャンバの底壁の中には第二スプライン軸が回転できるように設置され、前記第二スプライン軸の底部末端が前記第二スプライン穴の中に伸びており、且つ前記第二スプライン穴とスプラインによって嵌合され、前記伝動チャンバの中の前記第二スプライン軸の末端には第一ベベルギヤが固定的に設置され、前記伝動チャンバの右側端壁の中には上下に貫通した水出口が設置され、前記水出口の左右端壁の中にはスライド溝が設置され、前記スライド溝の中にはスライド板がスライドできるように設置され、前記スライド板の中には左方に開口したねじ穴が設置され、前記ねじ穴の中にはねじロッドがねじ山によって連結され、前記ねじロッドの左側末端が前記伝動チャンバの中に伸びており、且つ前記ねじロッドの左側末端には前記第一ベベルギヤと噛み合っている第二ベベルギヤが固定的に設置され、前記ねじロッドが回転し、それによって前記スライド板を左右へ移動連動させて前記水出口を開け又は閉めることを特徴とする請求項１に記載の収納便利なボトル。
【発明の詳細な説明】
【技術分野】
【０００１】
本発明はボトル分野に関わり、具体的には収納便利なボトルである。
【背景技術】
【０００２】
人々は粉ミルクを貯蔵する時、哺乳瓶の体積が大きくて携帯が不便であり、伝統的な哺乳瓶の体積は粉ミルクの減少につれて縮小できなく、同時に伝統的な哺乳瓶は自動的に撹拌できなく、それによって粉ミルクが均等に溶解できなく、飲み口に影響し、従って、上記の問題を解決するため、収納便利なボトルが必要となる。
【先行技術文献】
【特許文献】
【０００３】
【特許文献１】中国特許出願公開第１０６８０５６３４号明細書
【発明の概要】
【発明が解決しようとする課題】
【０００４】
本発明は収納便利なボトルを提供することを目的とし、それは既存技術にある上記欠点を解消し、設備の実用性を高めることができる。
【課題を解決するための手段】
【０００５】
本発明の収納便利なボトルは、ボディーと、前記ボディーの上方に位置しているトップ蓋と、前記ボディーの中に設置された貯水チャンバとを含み、前記貯水チャンバの円周壁の中には雌ねじが設置され、前記トップ蓋の底壁の中には円形チャンバが設置され、前記円形チャンバの中には下方へ伸びている回転筒が回転できるように設置され、前記回転筒の外表面には前記雌ねじとねじ山によって連結された雄ねじが設置され、前記回転筒の中には上下に貫通した空きチャンバが設置され、前記円形チャンバの中の前記回転筒の外表面には外歯車が固定的に設置され、前記貯水チャンバの底壁の中には切換チャンバが設置され、前記切換チャンバと前記貯水チャンバとの間には撹拌軸が連通するように設置され、前記貯水チャンバの中の前記撹拌軸の外表面には撹拌羽根が固定的に設置され、前記切換チャンバの中の前記撹拌軸の末端には第一ギヤが固定的に設置され、前記切換チャンバの底壁の中にはスライドチャンバが設置され、前記スライドチャンバの中にはスライドブロックがスライドできるように設置され、前記スライドブロックの頂壁の中には第一モーターが固定的に設置され、前記第一モーターの出力軸の上方へ伸びている末端には前記第一ギヤと噛み合っている第二ギヤが固定的に設置され、前記スライドチャンバの左側にはカムチャンバが設置され、前記スライドチャンバと前記カムチャンバとの間にはスライド穴が連通するように設置され、前記スライド穴の中には前記スライドブロックと固定的に連結されたスライドロッドがスライドできるように設置され、前記スライドロッドと前記スライド穴の端壁との間には復帰装置が弾性を持つように設置され、前記切換チャンバの頂壁の中には第一スプラインスリーブが回転できるように設置され、前記切換チャンバの中の前記第一スプラインスリーブの外表面には第三ギヤが固定的に設置され、前記第一スプラインスリーブの頂壁の中には上方に開口した第一スプライン穴が設置され、前記第一スプライン穴の中には第一スプライン軸がスプラインによって連結され、前記第一スプライン軸の頂部が前記円形チャンバに伸びており、且つ前記第一スプライン軸の頂部末端には前記外歯車と噛み合っている第四ギヤが固定的に設置され、前記雌ねじと前記雄ねじとがねじ山によって嵌合され、前記回転筒が回転して下方へ移動する時、前記ボトルの体積が小さくなる。
【０００６】
好ましくは、前記カムチャンバの頂壁の中には第二スプラインスリーブが回転できるように設置され、前記カムチャンバの中の前記第二スプラインスリーブの末端が前記カムチャンバの底壁の中に固定的に設置された第二モーターと動力が伝達できるように連結され、前記カムチャンバの中の前記第二スプラインスリーブの外表面にはカムが固定的に設置され、前記第二スプラインスリーブの頂壁の中には第二スプライン穴が設置され、前記円形チャンバの頂壁の中には伝動チャンバが設置され、前記伝動チャンバの底壁の中には第二スプライン軸が回転できるように設置され、前記第二スプライン軸の底部末端が前記第二スプライン穴の中に伸びており、且つ前記第二スプライン穴とスプラインによって嵌合され、前記伝動チャンバの中の前記第二スプライン軸の末端には第一ベベルギヤが固定的に設置され、前記伝動チャンバの右側端壁の中には上下に貫通した水出口が設置され、前記水出口の左右端壁の中にはスライド溝が設置され、前記スライド溝の中にはスライド板がスライドできるように設置され、前記スライド板の中には左方に開口したねじ穴が設置され、前記ねじ穴の中にはねじロッドがねじ山によって連結され、前記ねじロッドの左側末端が前記伝動チャンバの中に伸びており、且つ前記ねじロッドの左側末端には前記第一ベベルギヤと噛み合っている第二ベベルギヤが固定的に設置され、前記ねじロッドが回転し、それによって前記スライド板を左右へ移動連動させて前記水出口を開け又は閉める。
【発明の効果】
【０００７】
本発明の有益な効果は：本発明の装置はボトルの中の液体によってボトルのサイズを調節でき、収納が便利で、またボトルの中には攪拌装置を設置して粉ミルクを溶かす効率を高められ、装置は水出口を自動的に開け又は閉めることができ、密封性がよい。
【図面の簡単な説明】
【０００８】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【０００９】
【図１】図１は本発明の収納便利なボトルの全体構成概略図
【図２】図２は図１の中のＡの拡大構成概略図
【図３】図３は図１の中のＢの拡大構成概略図
【図４】図４は図３の中のＣ―Ｃの構成概略図
【発明を実施するための形態】
【００１０】
本説明書に開示したすべての特徴、または開示したすべての方法または過程中のステップは、互いに排斥する特徴と／またはステップ以外に、いずれもあらゆる方式で組み合わせることができる。
【００１１】
図１〜４に示すように、本発明の収納便利なボトルは、ボディー１０と、前記ボディー１０の上方に位置しているトップ蓋１８と、前記ボディー１０の中に設置された貯水チャンバ１１とを含み、前記貯水チャンバ１１の円周壁の中には雌ねじ２３が設置され、前記トップ蓋１８の底壁の中には円形チャンバ４５が設置され、前記円形チャンバ４５の中には下方へ伸びている回転筒１５が回転できるように設置され、前記回転筒１５の外表面には前記雌ねじ２３とねじ山によって連結された雄ねじ１６が設置され、前記回転筒１５の中には上下に貫通した空きチャンバ１７が設置され、前記円形チャンバ４５の中の前記回転筒１５の外表面には外歯車４６が固定的に設置され、前記貯水チャンバ１１の底壁の中には切換チャンバ３０が設置され、前記切換チャンバ３０と前記貯水チャンバ１１との間には撹拌軸２６が連通するように設置され、前記貯水チャンバ１１の中の前記撹拌軸２６の外表面には撹拌羽根２７が固定的に設置され、前記切換チャンバ３０の中の前記撹拌軸２６の末端には第一ギヤ２８が固定的に設置され、前記切換チャンバ３０の底壁の中にはスライドチャンバ３２が設置され、前記スライドチャンバ３２の中にはスライドブロック３４がスライドできるように設置され、前記スライドブロック３４の頂壁の中には第一モーター３３が固定的に設置され、前記第一モーター３３の出力軸の上方へ伸びている末端には前記第一ギヤ２８と噛み合っている第二ギヤ２９が固定的に設置され、前記スライドチャンバ３２の左側にはカムチャンバ２４が設置され、前記スライドチャンバ３２と前記カムチャンバ２４との間にはスライド穴３６が連通するように設置され、前記スライド穴３６の中には前記スライドブロック３４と固定的に連結されたスライドロッド３５がスライドできるように設置され、前記スライドロッド３５と前記スライド穴３６の端壁との間には復帰装置３７が弾性を持つように設置され、前記切換チャンバ３０の頂壁の中には第一スプラインスリーブ２２が回転できるように設置され、前記切換チャンバ３０の中の前記第一スプラインスリーブ２２の外表面には第三ギヤ３１が固定的に設置され、前記第一スプラインスリーブ２２の頂壁の中には上方に開口した第一スプライン穴２１が設置され、前記第一スプライン穴２１の中には第一スプライン軸２０がスプラインによって連結され、前記第一スプライン軸２０の頂部が前記円形チャンバ４５に伸びており、且つ前記第一スプライン軸２０の頂部末端には前記外歯車４６と噛み合っている第四ギヤ１９が固定的に設置され、前記雌ねじ２３と前記雄ねじ１６とがねじ山によって嵌合され、前記回転筒１５が回転して下方へ移動する時、前記ボトルの体積が小さくなる。
【００１２】
有益なように、前記カムチャンバ２４の頂壁の中には第二スプラインスリーブ１２が回転できるように設置され、前記カムチャンバ２４の中の前記第二スプラインスリーブ１２の末端が前記カムチャンバ２４の底壁の中に固定的に設置された第二モーター４８と動力が伝達できるように連結され、前記カムチャンバ２４の中の前記第二スプラインスリーブ１２の外表面にはカム２５が固定的に設置され、前記第二スプラインスリーブ１２の頂壁の中には第二スプライン穴１３が設置され、前記円形チャンバ４５の頂壁の中には伝動チャンバ３８が設置され、前記伝動チャンバ３８の底壁の中には第二スプライン軸１４が回転できるように設置され、前記第二スプライン軸１４の底部末端が前記第二スプライン穴１３の中に伸びており、且つ前記第二スプライン穴１３とスプラインによって嵌合され、前記伝動チャンバ３８の中の前記第二スプライン軸１４の末端には第一ベベルギヤ４７が固定的に設置され、前記伝動チャンバ３８の右側端壁の中には上下に貫通した水出口４３が設置され、前記水出口４３の左右端壁の中にはスライド溝４１が設置され、前記スライド溝４１の中にはスライド板４２がスライドできるように設置され、前記スライド板４２の中には左方に開口したねじ穴４４が設置され、前記ねじ穴４４の中にはねじロッド４０がねじ山によって連結され、前記ねじロッド４０の左側末端が前記伝動チャンバ３８の中に伸びており、且つ前記ねじロッド４０の左側末端には前記第一ベベルギヤ４７と噛み合っている第二ベベルギヤ３９が固定的に設置され、前記ねじロッド４０が回転し、それによって前記スライド板４２を左右へ移動連動させて前記水出口４３を開け又は閉める。
【００１３】
以下、出願人は附図１〜４及び上記の収納便利なボトルの具体的な構成を参考して本発明の収納便利なボトルの作動流れを詳しく紹介する：
【００１４】
本装置を使用する時、前記第二モーター４８が起動して回転して前記第二スプラインスリーブ１２を回転連動させ、それによって前記第二スプライン軸１４を回転連動させ、前記第二スプライン軸１４が回転して前記第一ベベルギヤ４７を回転連動させ、それによって前記第二ベベルギヤ３９と前記ねじロッド４０とを回転連動させ、それによって前記スライド板４２を左方へ移動連動させて前記水出口４３を開け、同時に前記第二スプライン軸１４が回転して前記カム２５を回転連動させ、それによって前記スライドロッド３５を右方へ移動連動させ、それによって前記スライドブロック３４を右方へ移動連動させ、それによって前記第二ギヤ２９を連動させて前記第三ギヤ３１と噛み合わせ、この時に前記水出口４３の中に水及び粉ミルクを加え、そして前記第一モーター３３を始動して回転させて前記第二ギヤ２９を回転連動させ、それによって前記第二ギヤ３１と、前記第一スプラインスリーブ２２と、前記第一スプライン軸２０と、前記第四ギヤ１９と、前記外歯車４６と、前記回転筒１５とを回転連動させ、前記雌ねじ２３と前記雄ねじ１６とがねじ山によって嵌合されたことによって、前記回転筒１５が回転して下方へ移動し、前記貯水チャンバ１１の中の液体の液面が前記トップ蓋１８の下端壁に接近した時、前記第一モーター３３を閉じ、前記第二モーター４８を始動して反転させて前記スライド板４２を右方へ移動連動させて前記水出口４３を閉め、この時にボトルの体積が小さくなって携帯しやすく、前記第二モーター４８が反転して前記カム２５を反転連動させ、この時に前記スライドロッド３５が復帰装置３７の作用の下で左方へ移動し、それによって前記スライドブロック３４を左方へ移動連動させ、それによって前記第二ギヤ２９を連動させて前記第一ギヤ２８と噛み合わせ、前記第二モーター４８が起動して回転して前記第二ギヤ２９を回転連動させ、それによって前記第一ギヤ２８と前記撹拌軸２６とを回転連動させ、それによって前記撹拌羽根２７を回転連動させて前記水と粉ミルクを撹拌混合し、それによって前記粉ミルクが速く溶解し、飲む時に前記第二モーター４８を始動して回転させて前記水出口４３を連動させて開けて水や粉ミルクを飲み、そして前記第一モーター３３を始動して再び前記回転筒１５を回転連動させ、更にボトルの体積を縮小し、収納と携帯に便利である。
【００１５】
上記の詳しい分析からわかるのは：本発明の装置はボトルの中の液体によってボトルのサイズを調節でき、収納が便利で、またボトルの中には攪拌装置を設置して粉ミルクを溶かす効率を高められ、装置は水出口を自動的に開け又は閉めることができ、密封性がよい。
【００１６】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020183279.tif 000003
【図２】
2020183279.tif 000004
【図３】
2020183279.tif 000005
【図４】
2020183279.tif 000006
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
正面視で、ボディーと、前記ボディーの上方に位置しているトップ蓋と、前記ボディーの中に設置された貯水チャンバとを含み、前記貯水チャンバの端壁の中には雌ねじが設置され、前記トップ蓋の底壁の中には円形チャンバが設置され、前記円形チャンバの中には下方へ伸びている回転筒が回転できるように設置され、前記回転筒の外表面には前記雌ねじとねじ山によって連結された雄ねじが設置され、前記回転筒の中には上下に貫通した空きチャンバが設置され、前記円形チャンバの中の前記回転筒の外表面には外歯車が固定的に設置され、前記貯水チャンバの底壁の中には切換チャンバが設置され、前記切換チャンバと前記貯水チャンバとの間には撹拌軸が連通するように設置され、前記貯水チャンバの中の前記撹拌軸の外表面には撹拌羽根が固定的に設置され、前記切換チャンバの中の前記撹拌軸の末端には第一ギヤが固定的に設置され、前記切換チャンバの底壁の中にはスライドチャンバが設置され、前記スライドチャンバの中にはスライドブロックが左右にスライドできるように設置され、前記スライドブロックの頂壁の中には第一モーターが固定的に設置され、前記第一モーターの出力軸の上方へ伸びている末端には前記第一ギヤと噛み合っている第二ギヤが固定的に設置され、前記スライドチャンバの左側にはカムチャンバが設置され、前記スライドチャンバと前記カムチャンバとの間にはスライド穴が連通するように設置され、前記スライド穴の中には前記スライドブロックと固定的に連結されたスライドロッドがスライドできるように設置され、前記スライドロッドと前記スライド穴の端壁との間には前記スライドロッドが移動した後に前記スライドロッドを復帰させる復帰装置が弾性を持つように設置され、前記切換チャンバの頂壁の中には第一スプラインスリーブが回転できるように設置され、前記切換チャンバの中の前記第一スプラインスリーブの外表面には前記第二ギヤと噛み合える第三ギヤが固定的に設置され、前記第一スプラインスリーブの頂壁の中には上方に開口した第一スプライン穴が設置され、前記第一スプライン穴の中には第一スプライン軸がスプラインによって連結され、前記第一スプライン軸の頂部が前記円形チャンバに伸びており、且つ前記第一スプライン軸の頂部末端には前記外歯車と噛み合っている第四ギヤが固定的に設置され、前記雌ねじと前記雄ねじとがねじ山によって嵌合され、前記回転筒が回転して下方へ移動する時、前記ボトルの体積が小さくなることを特徴とする収納便利なボトル。 
【請求項２】
前記カムチャンバの頂壁の中には第二スプラインスリーブが回転できるように設置され、前記カムチャンバの中の前記第二スプラインスリーブの末端が前記カムチャンバの底壁の中に固定的に設置された第二モーターと動力が伝達できるように連結され、前記カムチャンバの中の前記第二スプラインスリーブの外表面には前記スライドブロックを駆動して左右に移動させるカムが固定的に設置され、前記第二スプラインスリーブの頂壁の中には第二スプライン穴が設置され、前記円形チャンバの頂壁の中には伝動チャンバが設置され、前記伝動チャンバの底壁の中には第二スプライン軸が回転できるように設置され、前記第二スプライン軸の底部末端が前記第二スプライン穴の中に伸びており、且つ前記第二スプライン穴とスプラインによって嵌合され、前記伝動チャンバの中の前記第二スプライン軸の末端には第一ベベルギヤが固定的に設置され、前記伝動チャンバの右側端壁の中には上下に貫通した水出口が設置され、前記水出口の左右端壁の中にはスライド溝が設置され、前記スライド溝の中にはスライド板がスライドできるように設置され、前記スライド板の中には左方に開口したねじ穴が設置され、前記ねじ穴の中にはねじロッドがねじ山によって連結され、前記ねじロッドの左側末端が前記伝動チャンバの中に伸びており、且つ前記ねじロッドの左側末端には前記第一ベベルギヤと噛み合っている第二ベベルギヤが固定的に設置され、前記ねじロッドが回転し、それによって前記スライド板を左右へ移動連動させて前記水出口を開け又は閉めることを特徴とする請求項１に記載の収納便利なボトル。
【手続補正２】
【補正対象書類名】明細書
【補正対象項目名】全文
【補正方法】変更
【補正の内容】
【発明の詳細な説明】
【技術分野】
【０００１】
本発明はボトル分野に関わり、具体的には収納便利なボトルである。 
【背景技術】
【０００２】
人々は粉ミルクを貯蔵する時、哺乳瓶の体積が大きくて携帯が不便であり、伝統的な哺乳瓶の体積は粉ミルクの減少につれて縮小できなく、同時に伝統的な哺乳瓶は自動的に撹拌できなく、それによって粉ミルクが均等に溶解できなく、飲み口に影響し、従って、上記の問題を解決するため、収納便利なボトルが必要となる。 
【先行技術文献】
【特許文献】
【０００３】
【特許文献１】中国特許出願公開第１０６８０５６３４号明細書
【発明の概要】
【発明が解決しようとする課題】
【０００４】
本発明は収納便利なボトルを提供することを目的とし、それは既存技術にある上記欠点を解消し、設備の実用性を高めることができる。 
【課題を解決するための手段】
【０００５】
本発明の収納便利なボトルは、ボディーと、前記ボディーの上方に位置しているトップ蓋と、前記ボディーの中に設置された貯水チャンバとを含み、前記貯水チャンバの端壁の中には雌ねじが設置され、前記トップ蓋の底壁の中には円形チャンバが設置され、前記円形チャンバの中には下方へ伸びている回転筒が回転できるように設置され、前記回転筒の外表面には前記雌ねじとねじ山によって連結された雄ねじが設置され、前記回転筒の中には上下に貫通した空きチャンバが設置され、前記円形チャンバの中の前記回転筒の外表面には外歯車が固定的に設置され、前記貯水チャンバの底壁の中には切換チャンバが設置され、前記切換チャンバと前記貯水チャンバとの間には撹拌軸が連通するように設置され、前記貯水チャンバの中の前記撹拌軸の外表面には撹拌羽根が固定的に設置され、前記切換チャンバの中の前記撹拌軸の末端には第一ギヤが固定的に設置され、前記切換チャンバの底壁の中にはスライドチャンバが設置され、前記スライドチャンバの中にはスライドブロックが左右にスライドできるように設置され、前記スライドブロックの頂壁の中には第一モーターが固定的に設置され、前記第一モーターの出力軸の上方へ伸びている末端には前記第一ギヤと噛み合っている第二ギヤが固定的に設置され、前記スライドチャンバの左側にはカムチャンバが設置され、前記スライドチャンバと前記カムチャンバとの間にはスライド穴が連通するように設置され、前記スライド穴の中には前記スライドブロックと固定的に連結されたスライドロッドがスライドできるように設置され、前記スライドロッドと前記スライド穴の端壁との間には前記スライドロッドが移動した後に前記スライドロッドを復帰させる復帰装置が弾性を持つように設置され、前記切換チャンバの頂壁の中には第一スプラインスリーブが回転できるように設置され、前記切換チャンバの中の前記第一スプラインスリーブの外表面には前記第二ギヤと噛み合える第三ギヤが固定的に設置され、前記第一スプラインスリーブの頂壁の中には上方に開口した第一スプライン穴が設置され、前記第一スプライン穴の中には第一スプライン軸がスプラインによって連結され、前記第一スプライン軸の頂部が前記円形チャンバに伸びており、且つ前記第一スプライン軸の頂部末端には前記外歯車と噛み合っている第四ギヤが固定的に設置され、前記雌ねじと前記雄ねじとがねじ山によって嵌合され、前記回転筒が回転して下方へ移動する時、前記ボトルの体積が小さくなる。 
【０００６】
好ましくは、前記カムチャンバの頂壁の中には第二スプラインスリーブが回転できるように設置され、前記カムチャンバの中の前記第二スプラインスリーブの末端が前記カムチャンバの底壁の中に固定的に設置された第二モーターと動力が伝達できるように連結され、前記カムチャンバの中の前記第二スプラインスリーブの外表面には前記スライドブロックを駆動して左右に移動させるカムが固定的に設置され、前記第二スプラインスリーブの頂壁の中には第二スプライン穴が設置され、前記円形チャンバの頂壁の中には伝動チャンバが設置され、前記伝動チャンバの底壁の中には第二スプライン軸が回転できるように設置され、前記第二スプライン軸の底部末端が前記第二スプライン穴の中に伸びており、且つ前記第二スプライン穴とスプラインによって嵌合され、前記伝動チャンバの中の前記第二スプライン軸の末端には第一ベベルギヤが固定的に設置され、前記伝動チャンバの右側端壁の中には上下に貫通した水出口が設置され、前記水出口の左右端壁の中にはスライド溝が設置され、前記スライド溝の中にはスライド板がスライドできるように設置され、前記スライド板の中には左方に開口したねじ穴が設置され、前記ねじ穴の中にはねじロッドがねじ山によって連結され、前記ねじロッドの左側末端が前記伝動チャンバの中に伸びており、且つ前記ねじロッドの左側末端には前記第一ベベルギヤと噛み合っている第二ベベルギヤが固定的に設置され、前記ねじロッドが回転し、それによって前記スライド板を左右へ移動連動させて前記水出口を開け又は閉める。 
【発明の効果】
【０００７】
本発明の有益な効果は：本発明の装置はボトルの中の液体によってボトルのサイズを調節でき、収納が便利で、またボトルの中には攪拌装置を設置して粉ミルクを溶かす効率を高められ、装置は水出口を自動的に開け又は閉めることができ、密封性がよい。 
【図面の簡単な説明】
【０００８】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【０００９】
【図１】図１は本発明の収納便利なボトルの全体構成概略図
【図２】図２は図１の中のＡの拡大構成概略図
【図３】図３は図１の中のＢの拡大構成概略図
【図４】図４は図３の中のＣ―Ｃの構成概略図
【発明を実施するための形態】
【００１０】
本説明書に開示したすべての特徴、または開示したすべての方法または過程中のステップは、互いに排斥する特徴と／またはステップ以外に、いずれもあらゆる方式で組み合わせることができる。 
【００１１】
図１〜４に示すように、本発明の収納便利なボトルは、ボディー１０と、前記ボディー１０の上方に位置しているトップ蓋１８と、前記ボディー１０の中に設置された貯水チャンバ１１とを含み、前記貯水チャンバ１１の端壁の中には雌ねじ２３が設置され、前記トップ蓋１８の底壁の中には円形チャンバ４５が設置され、前記円形チャンバ４５の中には下方へ伸びている回転筒１５が回転できるように設置され、前記回転筒１５の外表面には前記雌ねじ２３とねじ山によって連結された雄ねじ１６が設置され、前記回転筒１５の中には上下に貫通した空きチャンバ１７が設置され、前記円形チャンバ４５の中の前記回転筒１５の外表面には外歯車４６が固定的に設置され、前記貯水チャンバ１１の底壁の中には切換チャンバ３０が設置され、前記切換チャンバ３０と前記貯水チャンバ１１との間には撹拌軸２６が連通するように設置され、前記貯水チャンバ１１の中の前記撹拌軸２６の外表面には撹拌羽根２７が固定的に設置され、前記切換チャンバ３０の中の前記撹拌軸２６の末端には第一ギヤ２８が固定的に設置され、前記切換チャンバ３０の底壁の中にはスライドチャンバ３２が設置され、前記スライドチャンバ３２の中にはスライドブロック３４が左右にスライドできるように設置され、前記スライドブロック３４の頂壁の中には第一モーター３３が固定的に設置され、前記第一モーター３３の出力軸の上方へ伸びている末端には前記第一ギヤ２８と噛み合っている第二ギヤ２９が固定的に設置され、前記スライドチャンバ３２の左側にはカムチャンバ２４が設置され、前記スライドチャンバ３２と前記カムチャンバ２４との間にはスライド穴３６が連通するように設置され、前記スライド穴３６の中には前記スライドブロック３４と固定的に連結されたスライドロッド３５がスライドできるように設置され、前記スライドロッド３５と前記スライド穴３６の端壁との間には前記スライドロッド３５が移動した後に前記スライドロッド３５を復帰させる復帰装置３７が弾性を持つように設置され、前記切換チャンバ３０の頂壁の中には第一スプラインスリーブ２２が回転できるように設置され、前記切換チャンバ３０の中の前記第一スプラインスリーブ２２の外表面には前記第二ギヤ２９と噛み合える第三ギヤ３１が固定的に設置され、前記第一スプラインスリーブ２２の頂壁の中には上方に開口した第一スプライン穴２１が設置され、前記第一スプライン穴２１の中には第一スプライン軸２０がスプラインによって連結され、前記第一スプライン軸２０の頂部が前記円形チャンバ４５に伸びており、且つ前記第一スプライン軸２０の頂部末端には前記外歯車４６と噛み合っている第四ギヤ１９が固定的に設置され、前記雌ねじ２３と前記雄ねじ１６とがねじ山によって嵌合され、前記回転筒１５が回転して下方へ移動する時、前記ボトルの体積が小さくなる。 
【００１２】
有益なように、前記カムチャンバ２４の頂壁の中には第二スプラインスリーブ１２が回転できるように設置され、前記カムチャンバ２４の中の前記第二スプラインスリーブ１２の末端が前記カムチャンバ２４の底壁の中に固定的に設置された第二モーター４８と動力が伝達できるように連結され、前記カムチャンバ２４の中の前記第二スプラインスリーブ１２の外表面には前記スライドブロック３４を駆動して左右に移動させるカム２５が固定的に設置され、前記第二スプラインスリーブ１２の頂壁の中には第二スプライン穴１３が設置され、前記円形チャンバ４５の頂壁の中には伝動チャンバ３８が設置され、前記伝動チャンバ３８の底壁の中には第二スプライン軸１４が回転できるように設置され、前記第二スプライン軸１４の底部末端が前記第二スプライン穴１３の中に伸びており、且つ前記第二スプライン穴１３とスプラインによって嵌合され、前記伝動チャンバ３８の中の前記第二スプライン軸１４の末端には第一ベベルギヤ４７が固定的に設置され、前記伝動チャンバ３８の右側端壁の中には上下に貫通した水出口４３が設置され、前記水出口４３の左右端壁の中にはスライド溝４１が設置され、前記スライド溝４１の中にはスライド板４２がスライドできるように設置され、前記スライド板４２の中には左方に開口したねじ穴４４が設置され、前記ねじ穴４４の中にはねじロッド４０がねじ山によって連結され、前記ねじロッド４０の左側末端が前記伝動チャンバ３８の中に伸びており、且つ前記ねじロッド４０の左側末端には前記第一ベベルギヤ４７と噛み合っている第二ベベルギヤ３９が固定的に設置され、前記ねじロッド４０が回転し、それによって前記スライド板４２を左右へ移動連動させて前記水出口４３を開け又は閉める。 
【００１３】
以下、出願人は附図１〜４及び上記の収納便利なボトルの具体的な構成を参考して本発明の収納便利なボトルの作動流れを詳しく紹介する： 
【００１４】
本装置を使用する時、前記第二モーター４８が起動して回転して前記第二スプラインスリーブ１２を回転連動させ、それによって前記第二スプライン軸１４を回転連動させ、前記第二スプライン軸１４が回転して前記第一ベベルギヤ４７を回転連動させ、それによって前記第二ベベルギヤ３９と前記ねじロッド４０とを回転連動させ、それによって前記スライド板４２を左方へ移動連動させて前記水出口４３を開け、同時に前記第二スプライン軸１４が回転して前記カム２５を回転連動させ、それによって前記スライドロッド３５を右方へ移動連動させ、それによって前記スライドブロック３４を右方へ移動連動させ、それによって前記第二ギヤ２９を連動させて前記第三ギヤ３１と噛み合わせ、この時に前記水出口４３の中に水及び粉ミルクを加え、そして前記第一モーター３３を始動して回転させて前記第二ギヤ２９を回転連動させ、それによって前記第二ギヤ３１と、前記第一スプラインスリーブ２２と、前記第一スプライン軸２０と、前記第四ギヤ１９と、前記外歯車４６と、前記回転筒１５とを回転連動させ、前記雌ねじ２３と前記雄ねじ１６とがねじ山によって嵌合されたことによって、前記回転筒１５が回転して下方へ移動し、前記貯水チャンバ１１の中の液体の液面が前記トップ蓋１８の下端壁に接近した時、前記第一モーター３３を閉じ、前記第二モーター４８を始動して反転させて前記スライド板４２を右方へ移動連動させて前記水出口４３を閉め、この時にボトルの体積が小さくなって携帯しやすく、前記第二モーター４８が反転して前記カム２５を反転連動させ、この時に前記スライドロッド３５が復帰装置３７の作用の下で左方へ移動し、それによって前記スライドブロック３４を左方へ移動連動させ、それによって前記第二ギヤ２９を連動させて前記第一ギヤ２８と噛み合わせ、前記第二モーター４８が起動して回転して前記第二ギヤ２９を回転連動させ、それによって前記第一ギヤ２８と前記撹拌軸２６とを回転連動させ、それによって前記撹拌羽根２７を回転連動させて前記水と粉ミルクを撹拌混合し、それによって前記粉ミルクが速く溶解し、飲む時に前記第二モーター４８を始動して回転させて前記水出口４３を連動させて開けて水や粉ミルクを飲み、そして前記第一モーター３３を始動して再び前記回転筒１５を回転連動させ、更にボトルの体積を縮小し、収納と携帯に便利である。
【００１５】
上記の詳しい分析からわかるのは：本発明の装置はボトルの中の液体によってボトルのサイズを調節でき、収納が便利で、またボトルの中には攪拌装置を設置して粉ミルクを溶かす効率を高められ、装置は水出口を自動的に開け又は閉めることができ、密封性がよい。 
【００１６】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。